(57)【特許請求の範囲】
【請求項１】
一方の端部の壁の中央にはレーザユニットのリード線が挿通できる孔を形成し、この孔に続けてその内部にはこの孔と同芯上にレーザユニットの基部を保持するための円筒形の保持穴を適宜の長さだけ形成し、この保持穴の他端部から開放している他端部まで、保持穴より大きな直径を有し、かつレーザユニットの先端側にある円筒形のカバーの直径と略同一の径を有する円筒形の穴を保持穴と同芯上に形成した断面筒状のケースにおいて、該ケースの長さを格納したレーザユニットの長さよりＬだけ、開放している他端部側に長くして円筒形の空隙を設け、レーザユニットを格納した状態において、レーザユニットのカバー先端のリング状の面の周縁とレーザユニットのカバーの直径と略同一の内径のケース内周とに当接、密着するシールを配置し、さらにこのシールに続けて、一方の端部が円錐台状に形成されており、またレーザ素子から発せられるレーザ線の拡がりにも支障がない程度に大きな直径を有する穴が形成されている押えボスを挿着したことを特徴とするフォーク差込位置確認装置におけるレーザユニットの格納ケースの構造。
【発明の詳細な説明】
【０００１】
【発明の属する技術分野】
この発明はフォーク差込位置確認レーザ装置におけるレーザユニットの格納ケースの構造に関するものである。
【０００２】
【従来の技術】
図５と、図６を使用して、以下において、従来技術に係るレーザユニットと、このレーザユニットをその内部空隙に格納したケースを説明する。
図５は、従来技術に係るレーザユニットを示す断面図である。
図６は、図５に示す従来技術に係るレーザユニットをケースの内部空隙に格納したことを説明する断面図である。
図７は、フォーク差込位置確認装置を取付けたフォークリフトの側面図である。
図８は、フォークリフトのバックレストの下部のほぼ中央にフォーク差込位置確認装置を取付けた正面図である。
従来のフォーク差込位置確認レーザ装置は、図５に示すように適宜の長さを有する円筒形のパイプであって、この円筒形のパイプの一方の端部を円形の壁で塞ぐとともに、この円形の壁の中心にはレーザ素子に電源を供給するためのリード線が挿通できる孔を形成したパイプＡと、このパイプＡの円筒形内部には基板と、レーザ素子等を配置し、そして、このパイプＡの開放された他端部口には適宜の長さを有し、かつ、レーザ線が通過できる適宜の直径を有する円筒形のパイプＢをパイプＡと同芯上に挿入連結し、また、この円筒形のパイプＢの他端部口の外周には適宜の長さを有する円筒形のパイプＣをパイプＢと同芯上に嵌挿し、このパイプＣの円筒形内部にはレンズを配置し、さらに、このパイプＣの開放された他端部口の外周には適宜の長さを有し、かつ、その他端部口の円形リング状の壁には前記の円筒形のパイプＢの内径よりもその直径を適宜大にして、この部分を拡がるレーザー線が通過するのに支障が起こらないような穴を形成した円形リング状の壁を有する円筒形のカバーをパイプＣと同芯上に嵌着し、そしてこの円筒形のカバーの円筒形内部であって、前記のパイプＣの他端部口の円形リング状の壁とこの円筒形のカバーの他端部口の円形リング状の壁の内壁との間に、円筒形の防水ゴムとその右側にはカバーガラスとを介装配置してレーザユニットを構成して、図６に示すようなケースにこのレーザユニットを格納していた。レーザユニットを格納するケースはレーザユニットと同じ長さの空隙を有しており、また、ケースの内部には一方の側にパイプＡと、その他端部側にカバーのそれぞれの直径を有する２段の円筒形の空隙を形成したものである。この２段の空隙を有するケースにレーザユニットを嵌め込み、ケース後部からリード線を引き出し、引き出し部をポエキシ樹脂で防水したものを、図８に示したバックレストの下部に取り付け、図７のようにフォークの位置確認を容易にする構造としていた。なお、図５、および図６に示すように、このレーザ装置を使用してレーザを対象物に照射すると沢山のレーザ線は適宜の大きさの円形の輪郭を表示する。
【０００３】
【発明が解決しようとする課題】
しかし上記の従来のレーザユニットをケースの内部に形成した小と大の直径とからなる２段の円筒形の空隙に嵌め込む格納方式は、レーザユニットの最っとも右側の先端部にある円筒形のカバーの右側端部にある円形の壁面とケースの右側端部口縁とが同一面となっていて、しかも、レーザユニットの最っとも右側の先端部にある円筒形のカバーの他端部口の円筒形外周面とケースの内部の円筒形の内周面との間には防水処置が施されておらず、フォークリフトを屋外作業で使用した場合にはここから水が入る恐れがあった。この発明はこのような不都合を解決することを課題としている。
【０００４】
【課題を解決するための手段及び作用効果】
この発明は上記の課題に対処するためになされたもので、一方の端部の壁の中央にはレーザユニットのリード線が挿通できる孔を形成し、この孔に続けてその内部にはこの孔と同芯上にレーザユニットの基部を保持するための円筒形の保持穴を適宜の長さだけ形成し、この保持穴の他端部から開放している他端部まで、保持穴より大きな直径を有し、かつレーザユニットの先端側にある円筒形のカバーの直径と同一の径を有する円筒形の穴を保持穴と同芯上に形成した断面筒状のケースにおいて、該ケースの長さを格納したレーザユニットの長さよりＬだけ、開放している他端部側に長くして円筒形の空隙を設け、レーザユニットを格納した状態において、レーザユニットの先端にあるカバーの他端部の円形リング状の壁の側面とケースの内部の保持穴よりも大きな直径を有する円筒形の穴の内周とに当接、密着するその他端部を円錐台状に形成したシールを配置し、さらにこのシールに続けて、一方の端部が円錐台状に形成されており、またレーザ素子から発せられるレーザ線の拡がりにも支障がない程度に大きな直径を有する穴が形成されている押えボスを挿着したことを特徴とするフォーク差込位置確認装置におけるレーザユニットの格納ケースの構造としている。
【０００５】
この出願の発明に係るものは、このような構成のフォーク差込位置確認装置におけるレーザユニットの格納ケースを有するがために、たとえ雨天のような日にこのフォークリフトを屋外作業で使用した場合でも、フォーク差込位置確認装置におけるレーザユニットに水が浸入する恐れがなく、安全に作業を遂行できる。
【０００６】
【発明の実施の形態】
以下においてこの出願の発明に係る実施の形態について、図面により説明する。
図１はこの出願の発明に係るフォーク差込位置確認装置におけるレーザユニットの格納ケースの構造を示す断面図である。
図２はこの出願の発明に係るフォーク差込位置確認装置におけるレーザユニットの格納ケースの構造を示す正面図である。
図３はこの出願の発明に係るフォーク差込位置確認装置におけるレーザユニットの格納ケースの断面図である。
図４はこの出願の発明に係るフォーク差込位置確認装置におけるレーザユニットの格納ケースの構造におけるＬだけ長くしたケースの内部に設置する押えボスの断面図である。
なお、図５と、図６のこの出願の発明の従来技術の説明において使用した各部品の名称は、図１、図２，図３、図４に示すこの出願の発明を説明する際においても同一の部品に相当するものは同じ名称をそのまま使用する。
【０００７】
まず、図１のこの出願の発明に係るフォーク差込位置確認装置におけるレーザユニットの格納ケースの構造を示す断面図について説明する。
適宜の長さを有する円筒形のパイプであって、この円筒形のパイプの一方の端部を円形の壁で塞ぐとともに、この円形の壁の中心にはレーザ素子に電源を供給するためのリード線が挿通できる孔を形成したパイプＡと、このパイプＡの円筒形内部には基板と、レーザ素子等を配置し、そして、このパイプＡの開放された他端部口には適宜の長さを有し、かつ、レーザ線が通過できる適宜の直径を有する円筒形のパイプＢをパイプＡと同芯上に挿入連結し、また、この円筒形のパイプＢの他端部口の外周には適宜の長さを有する円筒形のパイプＣをパイプＢと同芯上に嵌挿し、このパイプＣの円筒形内部にはレンズを配置し、さらに、このパイプＣの開放された他端部口の外周には適宜の長さを有し、かつ、その他端部口の円形リング状の壁には前記の円筒形のパイプＢの内径よりもその直径を適宜大にして、この部分を拡がるレーザー線が通過するのに支障が起こらないような穴を形成した円形リング状の壁を有する円筒形のカバーをパイプＣと同芯上に嵌着し、そしてこの円筒形のカバーの円筒形内部であって、前記のパイプＣの他端部口の円形リング状の壁とこの円筒形のカバーの他端部口の円形リング状の壁の内壁との間に、円筒形の防水ゴムとその右側にはカバーガラスとを介装配置してレーザユニットを構成する。
【０００８】
このような構成のレーザユニット５のレーザ素子等に水が浸入してこないようにしてケース１に格納するために、一方の端部の壁の中央にはレーザユニット５のリード線が挿通できる孔を形成し、この孔に続けてその内部にはこの孔と同芯上にレーザユニット５の基部を保持するための円筒形の保持穴を適宜の長さだけ形成し、この保持穴の他端部から開放している他端部まで、保持穴より大きな直径を有し、かつレーザユニット５の先端側にある円筒形のカバーの直径と同一の径を有する円筒形の穴を保持穴と同芯上に形成した断面筒状のケース１において、該ケース１の長さを格納したレーザユニット５の長さよりＬだけ、開放している他端部側に長くして円筒形の空隙を設け、レーザユニット５を格納した状態において、レーザユニット５の先端にあるカバーの他端部の円形リング状の壁の側面とケース１の内部の保持穴よりも大きな直径を有する円筒形の穴の内周とに当接、密着するその他端部を円錐台状に形成したシール３を配置し、さらにこのシール３に続けて、一方の端部が円錐台状に形成されており、またレーザユニット５のレーザ素子から発せられるレーザ線の拡がりにも支障がない程度に大きな直径を有する穴が形成されている押えボス２を挿着している。なお、上記のシール３の具体的の例として、上記以外に一般的に用いられている適宜の形状のパッキンとか、又はＯリングも当然採用できる。また、上記するように、ケース１の一方の端部壁の中央にはレーザ素子に電源を供給するためのリード線が挿通できる孔が形成されているが、この孔はエポキシ樹脂加工により塞がれており、この部分から水の浸入はできないようにされている。
このようにして、フォーク差込位置確認装置におけるレーザユニット５の格納ケース１を構成する。
Ｌだけ長くしたケース１の内部にシール３を装着し、そして、同じ長さＬのボス２でこのシール３を抑えているので、水がレーザ素子等に浸入するようなことは起こらない。
【０００９】
次に、図２を説明する。
図２は、図１に示すフォーク差込位置確認装置におけるレーザユニットの格納ケースを正面からみた正面図である。
ケース１は棒状の直方体の形状をなしていおり、そして、図２に示すように、ケース１の縦断面は正方形をなしている。ケース１の開放された他端部口の内側の長さＬの円筒形の空隙にはシール３と押えボス２が設けられている。円筒状の押えボス２にはケース１の正方形の縦断面の中心と同芯的に円形の穴が形成されている。
【００１０】
次に、図３を説明する。
図３は、図５に示すフォーク差込位置確認装置におけるレーザユニットをその内部の空隙に格納するケースの断面図である。
ケース１の一方の端部にある壁は正方形をなしており、そして、この正方形の壁の中心にはレーザ素子に電源を供給するリード線を挿通する孔（符番がない）が形成されている。そして、この一方の端部の正方形の壁の中心に形成したリード線を挿通する孔に続けて内部にはレーザユニット５の基部であるパイプＡの直径と同じ径を有し、パイプＡよりやや短い長さの円筒形の穴をケース１の一方の端部にある正方形の壁の中心と同芯上に形成する。このケース１に設けたパイプＡよりやや短い長さの円筒形の穴はレーザユニット５の一方の保持穴に相当する。そして、この保持穴の他端部から開放している他端部までを保持穴より大きな直径を有し、かつレーザユニット５の先端側にある円筒形のカバーの直径と同一の径を有する円筒形の穴を前記の保持穴と同芯上に形成してケース１を形成する。レーザユニット５の先端側にある円筒形のカバーと同一の直径を有する円筒形の穴はレーザユニット５を収めるだけでなく、レーザ素子等に水が浸入しないようにするためにケース１の他端部を長さＬだけ長くしてある。このＬだけ長くした円筒形の部分にシール３と、押えボス２を格納するようにしている。
【００１１】
次に、図４を説明する。
図４はこの出願の発明に係るフォーク差込位置確認装置におけるレーザユニットの格納ケースの構造におけるＬだけ長くしたケースの他端部側の内部に設置する押えボスの断面図である。
Ｌだけ長くしたケース１の円筒形の穴の内部にはシール３と同じ長さＬの押えボス２が装着されている。押えボス２の一方の端部はシール３の他端部の円錐台状の形状に合わせて円錐台状に形成されている。そして、押えボス２の右側端部はケース１の右側端部の面と面一になるように、平らな面で形成されている（図１も参照）。この円筒状の押えボス２には円筒形の中空の穴が形成されおり、この中空の穴の部分をレーザ線が通過できるようにされているが、円筒形の中空の穴はレーザ素子から発せられたレーザ線の拡がりにも支障をきたさない程度に大きな直径にされている。
【図面の簡単な説明】
【図１】この出願の発明に係るフォーク差込位置確認装置におけるレーザユニットの格納ケースの構造を示す断面図である。
【図２】この出願の発明に係るフォーク差込位置確認装置におけるレーザユニットの格納ケースの構造を示す正面図である。
【図３】この出願の発明に係るフォーク差込位置確認装置におけるレーザユニットの格納ケースの断面図である。
【図４】この出願の発明に係るフォーク差込位置確認装置におけるレーザユニットの格納ケースの構造におけるＬだけ長くしたケースの内部に設置する押えボスの断面図である。
【図５】従来技術に係るレーザユニットを示す断面図である。
【図６】図５に示す従来技術に係るレーザユニットをケースの内部空隙に格納したことを説明する断面図である。
【図７】フォーク差込位置確認装置を取付けたフォークリフトの側面図である。
【図８】フォークリフトのバックレストの下部のほぼ中央にフォーク差込位置確認装置を取付けた正面図である。
【符号の説明】
１・・・・・ケース
２・・・・・押えボス
３・・・・・シール
４・・・・・レーザ線
５・・・・・レーザユニット
Ｌ・・・・・伸ばした筒部長さ寸法
Ａ・・・・・隙間
【図１】
0003794976.tif 000002
【図２】
0003794976.tif 000003
【図３】
0003794976.tif 000004
【図４】
0003794976.tif 000005
【図５】
0003794976.tif 000006
【図６】
0003794976.tif 000007
【図７】
0003794976.tif 000008
【図８】
0003794976.tif 000009